(57)【要約】【課題】  デジタルペンを用いたデータ入力システムで，データ入力操作を簡素化することを目的とする。【解決手段】  データ入力シート処理システム１のデータ入力シート生成装置１０は，データ入力シート４の識別情報に対応するチェック欄の位置の組合せを示す対応情報から，識別情報に対応する位置情報を得て，識別情報領域４１のチェック欄のみを明示した状態にしてデータ入力シート４を出力する。デジタルペン２０は，データ入力シート４で手書きされた軌跡のドットパターンをデータ入力シート処理装置３０へ送信する。データ入力シート処理装置３０は，受信したドットパターンを認識処理し，対応情報をもとに，デジタルペン２０でマークされたチェック欄の位置に一致する識別情報を取得して，識別処理した入力データに識別情報を対応付けて保持する。【選択図】  図１
2011039782.tif 000002
【特許請求の範囲】
【請求項１】
所定のドットパターンが印刷されたドットパターン領域を有するデータ入力シートを生成するデータ入力シート生成装置と，前記データ入力シートにデータを記入するデジタルペンと，前記データ入力シートを処理するデータ入力シート処理装置とを有するデータ入力シート処理システムであって，
前記データ入力シート生成装置は，
データ入力シートを一意に識別する識別情報を記憶する識別情報記憶部と，
前記識別情報と，データ入力シートのドットパターン領域に設けられた識別情報領域に配置される複数のチェック欄から選択された１または複数の任意のチェック欄の位置を示す位置情報との対応を設定した対応情報を生成する対応情報生成部と，
前記対応情報を記憶する対応情報記憶部と，
前記対応情報からデータ入力シートに付与される識別情報に対応する位置情報を特定して，前記特定した位置情報が示すチェック欄のみを明示した識別情報領域と，データが記入される記入領域とを前記ドットパターン領域に配置したデータ入力シートを印刷するデータ入力シート印刷部とを備え，
前記デジタルペンは，
前記データ入力シートにインクで筆記するペン機構と，
前記ペン機構の軌跡上のドットパターンを読み取るカメラ機構と，
前記読み取ったドットパターンを送信する送信部とを備え，
前記データ入力シート処理装置は，
前記データ入力シートに記入された入力データを記憶する入力データ記憶部と，
前記デジタルペンから送信されたドットパターンを受信する受信部と，
前記受信したドットパターンから，前記データ入力シートに記入されたデータを認識する認識処理部と，
前記認識処理部で認識されたデータから，前記識別情報領域のチェック欄の位置情報を取得して，前記対応情報を参照して前記取得した位置情報に一致する識別情報を特定する識別情報特定部と，
前記認識処理部の処理結果の前記記入領域に記入された入力データを，前記特定された識別情報と対応付けて前記入力データ記憶部に格納する入力情報格納部とを備える
ことを特徴とするデータ入力シート処理システム。
【請求項２】
所定のドットパターンが印刷されたドットパターン領域を有するデータ入力シートを生成するデータ入力シート生成装置において，
データ入力シートを一意に識別する識別情報を記憶する識別情報記憶部と，
前記識別情報と，データ入力シートのドットパターン領域に設けられた識別情報領域に配置される複数のチェック欄から選択された１または複数の任意のチェック欄の位置を示す位置情報との対応を設定した対応情報を生成する対応情報生成部と，
前記対応情報を記憶する対応情報記憶部と，
前記対応情報からデータ入力シートに付与される識別情報に対応する位置情報を特定して，前記特定した位置情報が示すチェック欄のみを明示した識別情報領域と，データが記入される記入領域とを前記ドットパターン領域に配置したデータ入力シートを印刷するデータ入力シート印刷部とを備える
ことを特徴とするデータ入力シート生成装置。
【請求項３】
所定のドットパターンが印刷されたドットパターン領域を有するデータ入力シートを処理するデータ入力シート処理装置において，
データ入力シートを一意に識別する識別情報を記憶する識別情報記憶部と，
前記データ入力シートの識別情報と，前記データ入力シートに設けられた識別情報領域に配置される複数のチェック欄から選択された１または複数の任意のチェック欄の位置を示す位置情報との対応を設定した対応情報を記憶する対応情報記憶部と，
前記データ入力シートに記入された入力データを記憶する入力データ記憶部と，
データ入力シートにインクで筆記する筆記機構と，前記筆記機構の軌跡上のドットパターンを読み取るカメラ機構と，前記読み取ったドットパターンを送信する送信部とを備えるデジタルペンが，前記データ入力シートから読み取り，送信したドットパターンを受信する受信部と，
前記受信したドットパターンから，前記データ入力シートに記入されたデータを認識する認識処理部と，
前記認識処理部で認識されたデータから，前記識別情報領域のチェック欄の位置情報を取得して，前記対応情報から前記取得した位置情報に一致する識別情報を特定する識別情報特定部と，
前記認識処理部の処理結果の前記記入領域で記入された入力データを，前記特定された識別情報と対応付けて前記入力データ記憶部に格納する入力情報格納部とを備える
ことを特徴とするデータ入力シート処理装置。
【請求項４】
識別情報記憶部と対応情報記憶部と入力データ記憶部とを備えるコンピュータが，所定のドットパターンが印刷されたドットパターン領域を有するデータ入力シートを生成するデータ入力シート生成方法であって，
データ入力シートを一意に識別する識別情報を記憶する前記識別情報記憶部と，前記識別情報と，データ入力シートのドットパターン領域に設けられる識別情報領域に配置される複数のチェック欄から選択された１または複数の任意のチェック欄の位置を示す位置情報との対応を設定した対応情報を記憶する前記対応情報記憶部とを参照して，データ入力シートに付与される識別情報に対応する前記位置情報を特定する処理ステップと，
前記特定された位置情報が示すチェック欄のみを明示した識別情報領域と，データが記入される記入領域とを前記ドットパターン領域に配置したデータ入力シートを印刷する処理ステップとを備える
データ入力シート生成処理方法。
【請求項５】
所定のドットパターンが印刷されたドットパターン領域を有するデータ入力シートを生成するために，
データ入力シートを一意に識別する識別情報を記憶する識別情報記憶部と，対応情報を記憶する対応情報記憶部とを備えるコンピュータに，
前記識別情報記憶部に記憶された前記識別情報と，データ入力シートのドットパターン領域に設けられた識別情報領域に配置される複数のチェック欄から選択された１または複数の任意のチェック欄の位置を示す位置情報との対応を設定した対応情報を生成する処理過程と，
前記生成した対応情報を前記対応情報記憶部に格納する処理過程と，
前記対応情報記憶部に格納された対応情報からデータ入力シートに付与される識別情報に対応する位置情報を特定する処理過程と，
前記特定した位置情報が示すチェック欄のみを明示した識別情報領域と，データが記入される記入領域とを前記ドットパターン領域に配置したデータ入力シートを印刷する処理過程とを
実行させるためのデータ入力シート生成プログラム。
【請求項６】
所定のドットパターンが印刷されたドットパターン領域を有するデータ入力シートを処理するために，
データ入力シートを一意に識別する識別情報を記憶する識別情報記憶部と，
前記データ入力シートの識別情報と，前記データ入力シートに設けられた識別情報領域に配置される複数のチェック欄から選択された１または複数の任意のチェック欄の位置を示す位置情報との対応を設定した対応情報を記憶する対応情報記憶部と，
前記データ入力シートに記入された入力データを記憶する入力データ記憶部とを備えるコンピュータに，
データ入力シートにインクで筆記する筆記機構と，前記筆記機構の軌跡上のドットパターンを読み取るカメラ機構と，前記読み取ったドットパターンを送信する送信部とを備えるデジタルペンが，前記データ入力シートから読み取り，送信したドットパターンを受信する処理過程と，
前記受信したドットパターンから，前記データ入力シートに記入されたデータを認識する処理過程と，
前記データ入力シートに記入されたデータを認識する処理過程において認識されたデータから，前記識別情報領域のチェック欄の位置情報を取得して，前記対応情報記憶部に記憶された対応情報から，前記取得した位置情報に一致する識別情報を特定する処理過程と，
前記データ入力シートに記入されたデータを認識する処理過程において認識されたデータのうち前記記入領域で記入された入力データを，前記特定された識別情報と対応付けて前記入力データ記憶部に格納する処理過程とを
実行させるためのデータ入力シート処理プログラム。
【請求項７】
所定のドットパターンが印刷されたドットパターン領域と，
前記ドットパターン領域内に，複数のチェック欄を配置した識別情報領域と，データが筆記される記入領域とを備えて，
予め設定された情報であって，前記識別情報と前記識別情報領域に配置される複数のチェック欄から選択された１または複数の任意のチェック欄の位置を示す位置情報との対応を設定した対応情報にもとづいて，前記データ入力シートに付与された識別情報に対応する位置情報が示すチェック欄のみを明示した状態にして印刷されている
ことを特徴とするデータ入力シート。
【発明の詳細な説明】
【技術分野】
【０００１】
本発明は，デジタルペンを用いて情報入力を行うデータ入力シート処理システム，当該データ入力シート処理システムのデータ入力シート生成装置およびプログラム，およびデータ入力シート処理装置およびプログラム，並びに当該データ入力シート処理システム用のデータ入力シートに関する。
【背景技術】
【０００２】
データ入力シートや書類等に手書き入力されたデータを，コンピュータで処理可能なデータとして入力または変換する処理方法として，近年では，「デジタルペン」と呼ばれるペン型入力デバイスを用いたデータ入力方法が知られている。
【０００３】
このデジタルペンによるデータ入力方式の一例として，アノト（Anoto）方式が知られている。アノト方式では，アノトペンとアノトパターンと呼ばれる特殊なドットパターンが印刷された専用用紙（アノト用紙）とを用いてデータ入力が行われる。
【０００４】
アノトペンは，インクを用いたペン型の筆記機構，ペン先に設けられたカメラ機構，カメラ機構で取得した入力情報を所定の入力情報読み取り装置へ送信するデータ送信機構とを備えている。
【０００５】
アノト用紙の紙面には，０．３ミリメートルの直交する格子からわずかにずれたドットが一面に印刷されたアノトパターンと呼ばれるドットパターンが印刷されている。アノトパターンは，約６０００万平方キロメートルの範囲において，６ドット×６ドットのパターン（３６ドット）の位置を一意に認識することが可能なようにドットが配置されたパターンである。
【０００６】
ユーザがアノト用紙上でアノトペンを用いて筆記すると，アノトペンでは，筆記機構によってアノト用紙上にインクで文字や図形を筆記するとともに，カメラ機構がアノト用紙に印刷された所定のドット範囲（６×６ドット）の読み取りを繰り返し，ペン先の軌跡を特定する位置情報（絶対座標値）を記憶して所定の入力情報読み取り装置へペン先の位置情報を送信することができる。そして，入力情報読み取り装置は，アノトペンから受信した位置情報の変化によって示されるアノトペンの筆跡から，筆記された文字や図形等を認識し，電子的な処理が可能な入力情報として記憶することができる。
【０００７】
しかし，一例として上述したアノト方式では，アノトペンで筆記された文字や図形のみが入力情報として扱われるため，ユーザは，入力情報として扱われるべき情報を全てアノト用紙上で手書き入力しなければならないという弱点がある。
【０００８】
そのため，アノト方式による入力操作において，特定の数字列を筆記する代わりに，数字列の桁ごとに０〜９に対応するチェックボックスを印刷しておき，該当する数字のチェックボックスがマークされると，そのマークに対応する入力情報を取得する手法，または，所定の領域に帯状のマスクパターンを印刷しておき，帯状のマスクパターンを横切る線が記入されて生じるドットパターンの欠落に対応する入力情報を取得する手法が知られている。
【先行技術文献】
【特許文献】
【０００９】
【特許文献１】特開２００３−３４５５０３号公報
【発明の概要】
【発明が解決しようとする課題】
【００１０】
しかし，上記した従来手法の場合に，数字列の桁分だけ各数字に対応するチェックボックスを用意しなければならず，チェックボックスを選択してマークする操作は，直接数字を記入する操作と同様に煩雑であり，マーク誤りも多くなるという問題がある。
【００１１】
また，帯状のマスクパターンを横切る線を用いる手法では，印刷されたマスクパターンを横切る線の傾きによって欠落の部分を正確に特定することができない場合がある。
【００１２】
本発明は，所定のドットパターンが印刷されたデータ入力シートとデジタルペンとの組合せによって，データ入力シートに記入されたデータを識別情報と対応付けてコンピュータで処理可能なデータとして取得，保存することができるデータ入力シート処理システムを提供することを目的とする。
【００１３】
また，本発明は，別の態様において，データ入力シート処理システムにかかるデータ入力シートを生成するデータ入力シート生成装置，および前記データ入力シートを処理してデータを取得するデータ入力シート処理装置を提供することを目的とする。
【００１４】
また，本発明は，別の態様において，コンピュータを前記データ入力シート生成にかかる処理または前記データ入力シート処理にかかる処理を実行させるためのプログラムを提供することである。
【００１５】
また，本発明は，別の態様において，ユーザが識別情報を簡単かつ誤りなく記入できるデータ入力シートを提供することである。
【課題を解決するための手段】
【００１６】
本発明にかかるデータ入力シート処理システムの代表的なものの概要を簡単に説明すれば，以下のとおりである。すなわち，データ入力シート処理システムは，所定のドットパターンが印刷されたドットパターン領域を有するデータ入力シートを生成するデータ入力シート生成装置と，前記データ入力シートにデータを記入するデジタルペンと，前記データ入力シートを処理するデータ入力シート処理装置とを有する。
【００１７】
前記データ入力シート生成装置は，データ入力シートを一意に識別する識別情報を記憶する識別情報記憶部と，前記識別情報と，データ入力シートのドットパターン領域に設けられた識別情報領域に配置される複数のチェック欄から選択された１または複数の任意のチェック欄の位置を示す位置情報との対応を設定した対応情報を生成する対応情報生成部と，前記対応情報を記憶する対応情報記憶部と，前記対応情報からデータ入力シートに付与される識別情報に対応する位置情報を特定して，前記特定した位置情報が示すチェック欄のみを明示した識別情報領域と，データが記入される記入領域とを前記ドットパターン領域に配置したデータ入力シートを印刷するデータ入力シート印刷部とを備える。
【００１８】
また，前記デジタルペンは，前記データ入力シートにインクで筆記するペン機構と，前記ペン機構の軌跡上のドットパターンを読み取るカメラ機構と，前記読み取ったドットパターンを送信する送信部とを備える。
【００１９】
また，前記データ入力シート処理装置は，前記データ入力シートに記入された入力データを記憶する入力データ記憶部と，前記デジタルペンから送信されたドットパターンを受信する受信部と，前記受信したドットパターンから，前記データ入力シートに記入されたデータを認識する認識処理部と，前記認識処理部で認識されたデータから，前記識別情報領域のチェック欄の位置情報を取得して，前記対応情報を参照して前記取得した位置情報に一致する識別情報を特定する識別情報特定部と，前記認識処理部の処理結果の前記記入領域に記入された入力データを，前記特定された識別情報と対応付けて前記入力データ記憶部に格納する入力情報格納部とを備える。
【００２０】
また，本発明にかかるデータ入力シートは，所定のドットパターンが印刷されたドットパターン領域と，前記ドットパターン領域内に，複数のチェック欄を配置した識別情報領域と，データが筆記される記入領域とを備えて，予め設定された情報であって，前記識別情報と前記識別情報領域に配置される複数のチェック欄から選択された１または複数の任意のチェック欄の位置を示す位置情報との対応を設定した対応情報にもとづいて，前記データ入力シートに付与された識別情報に対応する位置情報が示すチェック欄のみを明示した状態であって，前記ドットパターンが読み取り可能となるような状態にして印刷されているものである。
【発明の効果】
【００２１】
上記したデータ入力シート処理システムによれば，データ入力シート生成装置が，予め識別情報に対応した位置情報に示されるチェック欄のみをデジタルペンで記入できるようにした識別情報領域を有するデータ入力シートを印刷出力するため，ユーザは，このデータ入力シートの識別情報領域の所定のチェック欄をデジタルペンでマークするだけで，必要な識別情報の入力を行うことができる。
【００２２】
よって，データ入力操作において，識別情報等の入力操作を簡素化し，入力誤りを軽減することができる。
【００２３】
また，デジタルペンが，データ入力シートのチェック欄がマークされることによって，そのチェック欄のドットパターンをデータ入力シート処理装置に送信するため，データ入力シート処理装置は，予め保持する識別情報と，識別情報領域のチェック欄の位置の組合せの情報との対応を示す対応情報を参照して，デジタルペンから受信したデータをもとにデータ入力シートの識別情報を特定するため，デジタルペンの受信データから認識された入力データを，識別情報と対応付けて格納することができる。
【００２４】
よって，同じドットパターンを有するデータ入力シート上に，異なるチェック欄の位置を設定することによって，同一ドットパターンの入力データを多数の識別情報に対応したデータとして処理することができる。
【図面の簡単な説明】
【００２５】
【図１】本発明の一実施例におけるデータ入力シート処理システムの構成例を示す図である。
【図２】データ入力シートの識別情報領域の例を示す図である。
【図３】対応情報の例を示す図である。
【図４】作業指示書処理システムの構成例を示す図である。
【図５】作業指示書の例を示す図である。
【図６】患者マスタＤＢのデータ例および作業指示内容ＤＢのデータ例を示す図である。
【図７】組合せ番号表の例を示す図である。
【図８】作業指示画面の例を示す図である。
【図９】対応表の例を示す図である。
【図１０】作業内容データ記憶部に格納される作業内容データの例を示す図である。
【図１１】作業指示書処理システムの処理フロー（１）を示す図である。
【図１２】作業指示書処理システムの処理フロー（２）を示す図である。
【図１３】作業指示書処理システムの処理フロー（３）を示す図である。
【発明を実施するための形態】
【００２６】
図１は，本発明の一実施例におけるデータ入力シート処理システムの構成例を示す図である。
【００２７】
図１に示すデータ入力シート処理システム１は，データ入力シート生成装置１０，デジタルペン２０，およびデータ入力シート処理装置３０を有する。
【００２８】
データ入力シート生成装置１０は，所定のドットパターンの領域に識別情報を記入するための識別情報領域４１とデータを記入するための記入領域４５が配置されたデータ入力シート４を生成する装置である。
【００２９】
本実施例では，ドットパターンとして，アノト方式に対応するドットパターンを使用する。
【００３０】
データ入力シート生成装置１０は，識別情報記憶部１１，対応情報記憶部１２，対応情報生成部１３，データ入力シート印刷部１４を有する。
【００３１】
識別情報記憶部１１は，データ入力シート４を一意に識別する識別情報を記憶する。
【００３２】
対応情報記憶部１２は，後述する対応情報生成部１３によって生成された対応情報を記憶する。
【００３３】
対応情報生成部１３は，識別情報記憶部１１に記憶された識別情報と，データ入力シート４の識別情報領域４１に配置される複数のチェック欄の位置情報との対応を設定した対応情報を生成する。位置情報は，データ入力シート４の識別情報領域４１に配置された所定数のチェック欄から選択された１または複数のチェック欄の位置または位置の組合せを示すものである。
【００３４】
データ入力シート印刷部１４は，対応情報生成部１３が生成した対応情報から，データ入力シート４に付与される識別情報に対応する位置情報をもとに，その位置情報が示すチェック欄のみを明示した状態にした識別情報領域４１と，データが記入される記入領域４５とをドットパターン領域に配置したデータ入力シート４を印刷する。
【００３５】
データ入力シート印刷部１４は，所定のドットパターンが予め印刷された用紙を用いて，その用紙の表面に識別情報領域４１とデータが記入される記入領域４５のみを印刷してデータ入力シート４としてもよい。また，データ入力シート印刷部１４は，ドットパターンが印刷されていない用紙を用いて，ドットパターンと識別情報領域４１と記入領域４５とを同時に印刷するようにしてデータ入力シート４としてもよい。また，データ入力シート印刷部１４は，識別情報領域４１と記入領域４５とを先に印刷した後にドットパターンを別途印刷してデータ入力シート４としてもよい。
【００３６】
図２は，データ入力シート４の識別情報領域４１の例を示す図である。
【００３７】
図２（Ａ）は，６０個のチェック欄を配置した識別情報領域４１の例を示す図，図２（Ｂ）は，４６個のチェック欄を配置した識別情報領域４１の例を示す図，図２（Ｃ）および図２（Ｄ）は，別の例による識別情報領域４１の例を示す図である。
【００３８】
図２において，一列に配置された四角形は，それぞれ，チェック欄を示す。白い四角形は，対応情報生成部１３によって選択されたチェック欄であり，データ入力シート印刷部１４によって，位置情報に基づいて明示された状態として，ドットパターンが読み取り可能な状態にして印刷されるチェック欄である。
【００３９】
黒い四角形は，対応情報生成部１３によって選択されたチェック欄以外のチェック欄であり，記入者に記入を促さないように，データ入力シート印刷部１４によって，チェック欄を明示しない状態として，黒色等で塗りつぶされて，ドットパターンが読み取り不可能な状態にして印刷されるチェック欄である。
【００４０】
図２（Ａ）に示す識別情報領域４１の例では，対応情報生成部１３は，識別情報に対応する位置情報として，６０個のチェック欄から２つのチェック欄４１ａ，４１ｂを選択して，選択したチェック欄４１ａ，４１ｂの位置の組合せを示す位置情報を，識別情報の１つと対応付けて対応情報に設定する。
【００４１】
図２（Ａ）に示す６０個のチェック欄の識別情報領域４１から任意の２つのチェック欄を組合せる場合には，（６０＊５９）／２＝１７７０通りであり，１７７０の識別情報と対応付けを行うことができる。
【００４２】
また，図２（Ｂ）に示す識別情報領域４１の例では，対応情報生成部１３は，４６個のチェック欄から２つのチェック欄４１ａ，４１ｂを選択する。図２（Ｂ）の例では，任意の２つのチェック欄の組合せは，（４６＊４５）／２＝１０３５通りであり，１０３５の識別情報と対応付けを行うことができる。
【００４３】
さらに，データ入力シート４の識別情報領域４１は，チェック欄４１ａ，４１ｂのみが明示されてドットパターンが印刷された状態であって，それ以外の領域がマスクされた状態，すなわちドットパターンが印刷されない状態であってもよい。
【００４４】
具体的には，図２（Ｃ）に示すように，データ入力シート４は，識別情報領域４１のチェック欄４１ａ，４１ｂのみが明示された状態（ドットパターンが印刷された状態）であって，識別情報領域４１の他の領域が白色やデータ入力シートの地色でマスクされた状態（ドットパターンが印刷されていない状態）であってもよい。
【００４５】
または，図２（Ｄ）に示すように，データ入力シート４は，識別情報領域４１のチェック欄４１ａ，４１ｂのみが明示された状態（ドットパターンが印刷された状態）であって，識別情報領域４１の他の領域が黒く塗りつぶされた状態（ドットパターンが読み取れない状態）であってもよい。
【００４６】
対応情報生成部１３が，識別情報領域４１から選択するチェック欄の数は，１でもよく，また３以上であってもよい。選択するチェック欄の数が少なければ対応させる識別情報が少なくなるが，ユーザの記入操作が簡素化され，選択するチェック欄の数が多ければ対応させる識別情報が多くなるが，ユーザの記入操作が簡素化される度合いは少なくなる。
【００４７】
対応情報生成部１３が選択するチェック欄の数は，データ入力シートに付与される識別情報の数と，ユーザの記入操作の簡素化とを考慮して，任意な数に設定することが可能である。本実施例では，チェック欄の数＝２として処理を行う。
【００４８】
図３は，対応情報の例を示す図である。
【００４９】
対応情報生成部１３は，図３（Ａ）に示すように，２つのチェック欄４１ａ，４１ｂの１７７０通りの組合せ各々に，１〜１７７０の組合せ番号を付与した組合せ番号表を生成する。さらに，図３（Ｂ）に示すように，各組合せ番号に１つの識別情報を対応づけた対応表を生成する。これらの組合せ表と対応表とでなる対応情報が対応情報記憶部１２に保持される。識別情報は，各データ入力シート４に付与される，例えば，日付とシート番号の組合せにより生成される文字，数字列等である。例えば，図３（Ｂ）に示す対応表では，組み合わせ番号“１”に，識別情報“ｉｄｘｘｘｘｘｘ００１”が対応付けられ，組み合わせ番号“１７７０”に，識別情報“ｉｄｘｘｘｘｘｘ９９９”が対応付けられる。
【００５０】
データ入力シート印刷部１４は，図３（Ｂ）の対応表を参照して，データ入力シート４に付与される識別情報に対応付けられた組合せ番号を特定し，図３（Ａ）に示す組合せ表から，組合せ番号が対応する２つのチェック欄（ドットパターンが読み取り可能なように塗りつぶしを行わないチェック欄）の位置を決定する。
【００５１】
例えば，識別番号＝ｉｄｘｘｘｘｘｘ９９９が付与されたデータ入力シート４を印刷する場合に，この識別番号に対応する組合せ番号＝１７７０を特定し，データ入力シート４の識別情報領域４１の５９番目と６０番目のチェック欄が，塗りつぶしを行わないチェック欄の位置となる。
【００５２】
データ入力シート４に印刷されたチェック欄の読み取り精度を上げるために，図３（Ａ）の組合せ表をハッシュテーブルとして実施してもよい。
【００５３】
デジタルペン２０は，データ入力シート４に手書きでデータを記入する装置である。デジタルペン２０は，データ入力シート４にインクで筆記するインクペン部２１，インクペン部２１の軌跡上のドットパターンを読み取る読み取り部２２，および，読み取ったドットパターンをデータ入力シート処理装置３０へ送信する送信部２３とを備える。本実施例では，デジタルペン２０は，アノト方式に準拠したデジタルペンで実現する。
【００５４】
ユーザは，デジタルペン２０を用いて，データ入力シート４に設けられた記入領域４５に必要なデータを記入し，識別情報領域４１の塗りつぶされていないチェック欄４１ａ，４１ｂをマークする。デジタルペン２０の読み取り部２２は，インクペン部２１が移動する軌跡上のドットパターンを，１回に６×６ドットずつ順次読み込み，保持する。送信部２３は，読み込まれたドットパターンをデータ入力シート処理装置３０へ送信する。
【００５５】
データ入力シート処理装置３０は，データ入力シート４に記入されたデータを処理して，保持する。
【００５６】
データ入力シート処理措置３０は，対応情報記憶部３１，入力データ記憶部３２，受信部３３，認識処理部３４，識別情報特定部３５，入力データ格納部３６を有する。
【００５７】
対応情報記憶部３１は，データ入力シート生成装置１０の対応情報記憶部１２に記憶されている対応情報を記憶する。
【００５８】
入力データ記憶部３２は，データ入力シート４に記入された入力データを記憶する。
【００５９】
受信部３３は，デジタルペン２０から，読み取られたドットパターンを受信する。
【００６０】
認識処理部３４は，アノト方式にしたがって，受信したドットパターンから，データ入力シート４に記入されたデータを認識する。認識処理部３４は，データ入力シート４の識別情報領域４１にマークが記入されたチェック欄の位置を特定する。また，データ入力シート４の記入領域４５に記入された文字，数字，図形等を認識する。
【００６１】
識別情報特定部３５は，対応情報記憶部３１の組合せ表を参照して，特定された識別情報領域４１のチェック欄の位置の組合せに一致する組合せ番号を特定し，対応表を参照して，特定した組合せ番号が対応する識別情報を特定する。
【００６２】
入力データ格納部３６は，認識処理部３４によって認識された記入領域４５に記入された入力データに，識別情報特定部３５によって特定された識別情報を対応付けて，入力データ記憶部３２に格納する。
【００６３】
データ入力シート処理システム１によれば，複数のチェック欄を配置した識別情報領域４１を設けて，予め付与された識別情報に対応する位置のチェック欄のみをユーザがマークできる状態に塗り残して印刷したデータ入力シート４を作成し，データ入力に供する。
【００６４】
ユーザは，識別情報領域４１の塗り残された所定数のチェック欄をマークするだけで識別情報の入力または確認を行うことができ，データ入力を簡素化することができる。
【００６５】
特に，識別情報の桁数に関わらず，ユーザにマークさせるチェック欄の数を設定することができ，識別情報の入力自体をも簡素化することができ，識別情報の入力の誤りを防止することができる。
【００６６】
また，識別情報領域４１でユーザにマークさせるチェック欄の数の設定によって，識別する対象の範囲に柔軟に対応することができる。例えば，識別情報領域４１に配置されるチェック欄＝３０個，塗り残すチェック欄の数＝３とすると，４０６０通りとなる。
【００６７】
したがって，デジタルペン２０とデータ入力シート４とを用いた手書きによるデータ入力システムにおいて，データの識別情報の入力が，簡素かつ確実に行え，入力されたデータを識別情報と対応付けて処理することができる。
【００６８】
以下，本発明のデータ入力シート処理システム１を，具体的な業務として，医療機関における作業指示書処理業務に適用した場合の実施例を説明する。
【００６９】
図４は，医療機関等の従業者に対する作業の指示内容を記載して，指示された作業の結果に関するデータを記入させる作業指示書を処理する作業指示書処理システム１００の構成例を示す図である。
【００７０】
作業指示書処理システム１００は，作業指示書作成装置１１０，デジタルペン２０，作業指示書処理装置１３０を備える。
【００７１】
作業指示書作成装置１１０は，作業指示書１４０を生成する装置である。
【００７２】
図５は，作業指示書１４０の例を示す図である。
【００７３】
作業指示書１４０は，アノトパターンと呼ばれるドットパターンが配置された領域内に，識別情報領域１４１と作業内容記入領域１４５とが配置される。
【００７４】
識別情報領域１４１には，所定数として６０個のチェック欄が配置される。チェック欄は，作業指示書１４０に付与される識別情報に対応する組合せ番号に示される位置のチェック欄のみが，ユーザがデジタルペン２０でマーク等を入力できる状態として印刷され，他のチェック欄は，例えば黒色で塗りつぶして印刷される。図５に示す入力箇所１４１ａ，１４１ｂは，ユーザが入力可能なチェック欄を示す。
【００７５】
作業内容記入領域１４５には，作業内容に関する情報，作業指示に関する情報が印刷されるとともに，ユーザが，その作業の実施結果を記入する入力箇所１４５ａ，１４５ｂ等が配置される。
【００７６】
作業指示書作成装置１１０は，対応情報記憶部１１２，対応情報生成部１１３，および作業指示書印刷部１１４を有する。また，作業指示書作成装置１１０は，患者マスタデータベース（患者マスタＤＢ）１０１および作業指示内容データベース（作業指示内容ＤＢ）１０２と接続して情報を得ることができる。
【００７７】
患者マスタデータベース１０１は，作業処理の対象となる患者を一意に識別する患者識別情報（患者ＩＤ）を保持，管理する。作業指示内容ＤＢ１０２は，作業指示内容を特定する情報を保持，管理する。
【００７８】
図６（Ａ）は，患者マスタＤＢ１０１のデータ例を示す図である。
【００７９】
患者マスタＤＢ１０１には，患者ＩＤと患者の氏名とが対応づけて管理される。例えば，「患者ＩＤ＝ＸＸＸＸＸＸＸＸ，氏名＝青木一郎」として患者が特定される。
【００８０】
図６（Ｂ）は，作業指示内容ＤＢ１０２のデータ例を示す図である。
【００８１】
作業指示内容ＤＢ１０２には，指示される作業内容の組合せが，作業指示書番号に対応付けて管理される。例えば，作業指示書番号＝００１では，「検温等」が作業指示内容として設定される。また，作業指示書番号＝９９９では，「検温，血圧測定，脈拍測定等を含む全ての検査項目」が作業指示内容として特定されることを示す。
【００８２】
患者マスタＤＢ１０１および作業指示内容ＤＢ１０２は，図１に示す識別情報記憶部１１に相当する。
【００８３】
対応情報生成部１１３は，図１に示す対応情報生成部１３に相当し，ほぼ同様の処理を行う。本実施例において，対応情報生成部１１３は，識別情報領域１４１に配置された６０個のチェック欄から，任意の２つのチェック欄ａ，ｂを選択して，識別情報に対応させる組合せ番号を生成して，図７に示す組合せ番号表を内部に保持する。
【００８４】
対応情報生成部１１３は，ユーザが作業指示画面２００を介して入力した，作業指示または作業日を示す日付，作業対象となる患者ＩＤ，および，指示する内容を示す作業指示書番号を組合せて，作業指示書を識別する識別情報（以下，キー番号という）を生成する。さらに，対応情報生成部１１３は，各組合せ番号とキー番号とを対応づけた対応情報を生成して，対応情報記憶部１１２へ格納する。
【００８５】
図８は，作業指示画面２００の例を示す図である。
【００８６】
作業指示画面２００は，ユーザが入力または選択する入力項目である「患者ＩＤ」，「指示内容」，「確定」ボタン，「取消」ボタンと，表示項目である「作業指示年月日」，「患者氏名」，「作業指示書番号」とを含む。
【００８７】
作業指示画面２００が表示されると，この処理日をもとに設定された作業指示の年月日が「作業指示年月日」に表示される。
【００８８】
ユーザが，作業対象である患者ＩＤを「患者ＩＤ」で選択すると，患者ＩＤマスタ１０１にもとづいて選択された患者ＩＤに対応する患者氏名が「患者氏名」に表示される。
【００８９】
さらに，ユーザが，「指示内容」に表示された各項目を選択し，必要な選択項目を特定すると，作業指示内容ＤＢ１０２にもとづいて，選択された作業内容に一致する作業指示書番号が取得され，「作業指示書番号」に表示される。
【００９０】
ユーザによって「確認」ボタンが選択されると，対応情報生成部１１３は，表示中の，作業指示年月日，患者ＩＤ，作業指示書番号を取得してキー番号を生成し，生成したキー番号に対応する組合せ番号を取得して対応表を生成する。
【００９１】
図９は，対応表の例を示す図である。
【００９２】
対応表では，組合せ番号とキー番号とが１対１で対応づけられている。例えば，作業指示画面２００を介して指定された作業指示について，キー番号＝２００８０９３０ＸＸＸＸＸＸＸＸ００１に，組合せ番号＝１で示される作業指示書１４０の識別情報領域１４１のチェック欄１４１ａ，１４１ｂの位置の組合せが対応づけられることを示す。
【００９３】
作業指示書印刷部１１４は，図１に示すデータ入力シート印刷部１４に相当し，ほぼ同様の処理を行う。作業指示書印刷部１１４は，対応情報記憶部１１２の対応情報を参照して，印刷指示された作業指示書１４０に付与された識別情報に対応する組合せ番号に指示された位置のチェック欄をドットパターンが読み取り可能な状態にし，他のチェック欄を塗りつぶした識別情報領域１４１と，識別情報に組み込まれた作業指示書番号にもとづいて，該当する作業内容の所定の印刷事項で構成した作業内容記入領域１４５とを配置した作業指示書１４０を印刷する。
【００９４】
作業指示書処理装置１３０は，作業指示書１４０に記入されたデータを処理して，保持する。
【００９５】
作業指示書処理装置１３０は，対応情報記憶部１３１，作業内容データ記憶部１３２，受信部１３３，認識処理部１３４，識別情報特定部１３５，作業内容データ格納部１３６を有する。
【００９６】
対応情報記憶部１３１は，作業指示書生成装置１１０の対応情報記憶部１１２に記憶されている対応情報として，図７の組合せ番号表および図９の対応表を記憶する。
【００９７】
受信部１３３，認識処理部１３４，識別情報特定部１３５，および作業内容データ格納部１３６は，図１に示す受信部３３，認識処理部３４，識別情報特定部３５，および入力データ格納部３６にそれぞれ相当し，ほぼ同様の処理を行う。
【００９８】
認識処理部１３４は，受信したドットパターンから，データ入力シートである作業指示書１４０に記入されたデータを認識して，識別情報領域１４１にマークが記入されたチェック欄の位置を特定し，作業内容記入領域１４５に記入されたドットパターンの軌跡から，実施結果を示す数字，文字等を認識する。
【００９９】
識別情報特定部１３５は，対応情報記憶部１３１の組合せ番号表を参照して，特定された識別情報領域１４１のチェック欄の位置の組合せに一致する組合せ番号を特定する。さらに，対応表を参照して，組合せ番号が対応するキー番号を特定する。
【０１００】
作業内容データ格納部１３６は，作業内容記入領域１４５に記入された入力データを認識処理して得られたデータ（実施結果の数値等）に，識別情報特定部１３５によって特定されたキー番号を対応付けた作業内容データを作業内容データ記憶部１３２に格納する。
【０１０１】
図１０は，作業内容データ記憶部１３２に格納される作業内容データの例を示す図である。
【０１０２】
作業内容データは，キー番号が対応付けられた，実施結果（認識処理された各検査項目の数字等）を含む。
【０１０３】
作業内容データのキー番号は，日付，患者ＩＤ，作業指示書番号との組合せであるのでキー番号から，日付，患者ＩＤ，作業指示書番号等を特定することができ，「日付，患者ＩＤ，作業指示書番号，実施結果」を含む情報を取得，保存することができる。よって，既存の電子カルテシステム，医療作業支援システム等に対し，処理可能な作業内容データを供することが可能になる。
【０１０４】
デジタルペン２０は，図１に示すデジタルペン２０と同様である。
【０１０５】
ユーザは，デジタルペン２０を用いて，図５に示す作業指示書１４０の識別情報領域１４１のチェック欄１４１ａ，１４１ｂをマークし，指示された内容の作業を行い，その結果を，作業指示書１４０の入力箇所１４５ａ，１４５ｂ等に記入する。
【０１０６】
ユーザの記入操作によって，デジタルペン２０が，作業指示書１４０に印刷されたドットパターンを順次読み込み，作業指示書処理装置１３０に送信する。
【０１０７】
図１１〜図１３は，作業指示書処理システム１００の処理フローを示す図である。
【０１０８】
事前作業として，ユーザによって，作業指示書を作成する患者と作業指示との対応付けが行われる（ステップＳ１）。作業指示書処理システム１００の作業指示書作成装置１１０では，対応情報生成部１１３が，作業指示書１４０の識別情報領域１４１のチェック欄の位置の組合せを示す組合せ番号表を生成し，この組合せ番号表から組合せ番号を１つ得る（ステップＳ２）。作業指示画面２００でのユーザの入力／選択の操作によって，患者マスタＤＢ１０１から対応する患者ＩＤを得て（ステップＳ３），作業指示内容ＤＢ１０２から作業指示書番号を得る（ステップＳ４）。
【０１０９】
そして，対応情報生成部１１３は，ステップＳ２〜Ｓ４の処理で得られた各情報から，キー番号と組合せ番号との対応表を生成して（ステップＳ５），作業指示書１４０の印刷を作業指示書印刷部１１４に指示する（ステップＳ６）。
【０１１０】
作業指示書印刷部１１４は，対応表の組合せ番号をもとに，識別情報領域１４１の２つのチェック欄の位置を得る（ステップＳ７）。さらに，作業指示書印刷部１１４は，対応表のキー番号から患者ＩＤを特定して，患者マスタＤＢ１０１から患者ＩＤと患者氏名とを得て（ステップＳ８），キー番号から作業指示書番号を特定して，作業指示内容ＤＢ１０２から該当する作業項目を得る（ステップＳ９）。
【０１１１】
そして，作業指示書印刷部１１４は，ステップＳ７〜Ｓ９で得たられた各情報から，識別情報領域１４１と作業内容記入領域１４５とをドットパターン上に配置した作業指示書１４０を印刷する（ステップＳ１０）。
【０１１２】
ユーザが，印刷出力された作業指示書１４０に対して，デジタルペン２０による入力を行う（ステップＳ２１）。デジタルペン２０が読み取った情報（ドットパターン）を送信する（Ｓ３１）。
【０１１３】
作業指示書処理装置１３０の受信部１３３は，デジタルペン２０が読み取った情報を受信して（ステップＳ３２），認識処理部１３４が，受信した情報（ドットパターン）に認識処理を施して，指示された作業の実施結果（数字）を認識する（ステップＳ３３）。
【０１１４】
識別情報特定部１３５は，認識処理された情報に含まれる入力されたチェック欄の位置（２つの位置）と一致する組合せ番号を，組合せ番号表から得て（ステップＳ３４），さらに，対応表を参照して，組合せ番号に対応するキー番号を得る（ステップＳ３５）。さらに，識別情報特定部１３５は，キー番号から作業指示書番号を得て，入力されたデータに対応する作業項目を得る（ステップＳ３６）。
【０１１５】
作業内容データ格納部１３６は，ステップＳ３３〜Ｓ３６で得た各情報をもとに，作業項目各々に入力された実施結果を対応させた作業内容にキー番号を対応付けた作業内容データを作業内容データ記憶部１３２に格納する（ステップＳ３７）。
【０１１６】
以上の説明では，主として本発明の一態様であるデータ入力シート処理システムとして，医療作業の作業指示書の処理業務に適用した場合について説明したが，本発明の適用はこれに限定されるものではなく，また，本発明は，記述の主旨の範囲において種々の変形が可能であることは当然である。
【０１１７】
なお，本発明にかかるデータ入力シート処理システム１を構成するデータ入力シート生成装置１０およびデータ入力シート処理装置３０の各処理部は，コンピュータによって実現することができる。その場合，データ入力シート生成装置１０，データ入力シート処理装置３０が有すべき機能の処理内容を記述したプログラムが提供される。そのプログラムをコンピュータで実行することにより，上記の各処理装置の処理機能がコンピュータ上で実現される。処理内容を記述したプログラムは，コンピュータで読み取り可能な記録媒体に記録しておくことができる。
【０１１８】
具体的には，データ入力シート生成装置１０の識別情報記憶部１１および対応情報記憶部１２は，データを記憶するメモリ，外部記憶装置等の記憶手段によって，対応情報生成部１３およびデータ入力シート印刷部１４は，ソフトウェアによって，それぞれ実現される。なお，データ入力シート印刷部１４は，外部の印刷装置を制御するものである。
【０１１９】
また，データ入力シート処理装置３０の対応情報記憶部３１および入力データ記憶部３２は，データを記憶するメモリ，外部記憶装置等の記憶手段によって，受信部３３，認識処理部３４，識別情報特定部３５，入力データ格納部３６は，ソフトウェアによって，それぞれ実現される。
【０１２０】
プログラムを流通させる場合には，例えば，そのプログラムが記録されたＤＶＤ（Digital Versatile Disc），ＣＤ−ＲＯＭ（Compact Disc Read Only Memory）などの可搬型記録媒体によって流通がなされる。また，プログラムをサーバコンピュータの記憶装置に格納しておき，ネットワークを介して，サーバコンピュータから他のコンピュータにそのプログラムを転送することもできる。
【０１２１】
プログラムを実行するコンピュータは，例えば，可搬型記録媒体に記録されたプログラムもしくはサーバコンピュータから転送されたプログラムを，自己の記憶装置に格納する。そして，コンピュータは，自己の記憶装置からプログラムを読み取り，プログラムに従った処理を実行する。なお，コンピュータは，可搬型記録媒体から直接プログラムを読み取り，そのプログラムに従った処理を実行することもできる。また，コンピュータは，サーバコンピュータからプログラムが転送されるごとに，逐次，受け取ったプログラムに従った処理を実行することもできる。
【符号の説明】
【０１２２】
１  データ入力シート処理システム
１０  データ入力シート生成装置
１１  識別情報記憶部
１２  対応情報記憶部
１３  対応情報生成部
１４  データ入力シート印刷部
２０  デジタルペン
２１  インクペン部
２２  読み取り部
２３  送信部
３０  データ入力シート処理装置
３１  対応情報記憶部
３２  入力データ記憶部
３３  受信部
３４  認識処理部
３５  識別情報特定部
３６  入力データ格納部
４  データ入力シート
４１  識別情報領域
４５  記入領域
１００  作業指示書処理システム
１０１  患者マスタデータベース
１０２  作業指示内容データベース
１１０  作業指示書作成装置
１１２  対応情報記憶部
１１３  対応情報生成部
１１４  作業指示書印刷部
１３０  作業指示書処理装置
１３１  対応情報記憶部
１３２  作業内容データ記憶部
１３３  受信部
１３４  認識処理部
１３５  識別情報特定部
１３６  作業内容データ格納部
１４０  作業指示書
４１  識別情報領域
４５  作業内容記入領域
【図１】
2011039782.tif 000003
【図２】
2011039782.tif 000004
【図３】
2011039782.tif 000005
【図４】
2011039782.tif 000006
【図５】
2011039782.tif 000007
【図６】
2011039782.tif 000008
【図７】
2011039782.tif 000009
【図８】
2011039782.tif 000010
【図９】
2011039782.tif 000011
【図１０】
2011039782.tif 000012
【図１１】
2011039782.tif 000013
【図１２】
2011039782.tif 000014
【図１３】
2011039782.tif 000015